【事件の表示】
　特願２００２−２５２６０１「トリガー式液体噴出器」拒絶査定不服審判事件〔平成１６年　３月２５日出願公開、特開２００４−　８９８０６〕について、次のとおり審決する。
【結　論】
　本件審判の請求は、成り立たない。
【理　由】
１．手続の経緯、本願発明
　本願は、平成１４年８月３０日の出願であって、平成１９年１０月１７日付けで拒絶理由が通知され、同年１１月７日付けで意見書が提出されたが、同年１２月２６日付けで拒絶査定がなされ、平成２０年２月８日に拒絶査定に対する審判請求がなされるとともに同年３月３日付けの手続補正書（方式）によって請求の理由が補充され、その後、当審において、平成２１年４月２７日付けで拒絶理由が通知され、同年６月１１日付けで意見書及び手続補正書が提出されたものであって、その請求項１ないし３に係る発明は、平成２１年６月１１日付けの手続補正書により補正された明細書及び出願当初の図面の記載からみて、その明細書の特許請求の範囲の請求項１ないし３に記載されたとおりのものと認められるところ、その請求項１に係る発明（以下、「本願発明」という。）は次のとおりである。
　
　「【請求項１】
　容器体口頸部３に嵌合させた装着キャップ４と、該キャップ上端から起立して上部から射出筒７を前方へ突出してなるポンプ本体９と、射出筒７前部から前後揺動可能に垂設したトリガー10と、射出筒７先端に回動可能に嵌着させたノズルヘッド11と、ノズルヘッド11の所定の回動により射出筒７内と噴出口23とが連通する如く構成した開閉切り替え機構24と、ノズルヘッド11からトリガー10前面に沿って垂下するとともに、トリガーの引き込みを防止するストッパー25とを備え、ストッパー25を回動させた状態に於けるトリガーの操作により容器体内の液を吸い上げてノズルヘッドの噴出口23より噴出する如く構成したトリガー式液体噴出器に於いて、上記ストッパーの色彩をトリガーの色彩と異なる色彩に形成したことを特徴とするトリガー式液体噴出器。」
　
２．引用文献記載の発明
２−１．引用文献１記載の発明
（１）引用文献１
　当審における拒絶理由に引用された、本願の出願前に頒布された刊行物である特開２００１−１０６５３号公報（以下、「引用文献１」という。）には、次の事項が図面とともに記載されている。
　
ア．「【請求項１】容器体口頚部３に嵌合させた装着キャップ４と、該キャップ上端から起立して上部から射出筒７を前方へ突出してなるポンプ本体９と、射出筒７前部から前後揺動可能に垂設したトリガー10と、射出筒７先端に回動可能に嵌着させたノズルヘッド11とを備え、トリガーの操作により容器体内の液を吸い上げてノズルヘッドの噴出口16より噴出する如く構成したトリガー式液体噴出器に於いて、ノズルヘッド11からトリガー10前面に沿って垂下するとともに、前面に後方引き寄せ防止突部14を突設し、且つ、側面からトリガー側面に当接係止させた係止板部15を後方突設してなる揺動被覆板13を、ノズルヘッド11の回動に伴う回動が可能に設けてなることを特徴とするトリガー式液体噴出器。」（【特許請求の範囲】の【請求項１】）
　
イ．「【請求項４】上記ノズルヘッド11の回動により液流路の開閉切り換えが可能に構成するとともに、ノズルヘッド11の液流路遮断状態で揺動被覆板13の係止板部15，15A がトリガーに当接係止した状態となる如く構成した請求項１〜請求項３のいずれかに記載のトリガー式液体噴出器。」（【特許請求の範囲】の【請求項４】）
　
ウ．「【０００４】
【発明が解決しようとする課題】しかしながら、上記した開閉機構を設けたものにあっても、トリガーはプランジャを介して液圧により押し込み不能に係止されているため、液流路閉塞状態のままで度々トリガーを引き寄せると、プランジャの若干の押し込みが可能となり、シリンダ内の異常な高圧化で吐出弁を通って、吐出弁下流の射出筒前方部分内に高圧液体が溜まることがあり、このようになるとノズルヘッドを液流路連通位置まで回した時、その射出筒前方部分内に溜まっていた高圧液体が、トリガー操作を行わなくてもノズル孔から噴出する不都合が生じたり、また、トリガーを強く引き寄せると、射出筒内の高圧化でノズルヘッドがノズル嵌合筒から外れる虞もあった。
【０００５】本発明は上記した点に鑑みなされたもので、不使用時等にトリガー操作を確実に防止して上記した不都合を解消することができ、また、使用時には取り扱いが便利であり、その構造も簡単な優れたトリガー式液体噴出器を提案するものである。」（段落【０００４】及び【０００５】）
　
エ．「【００１０】
【発明の実施の形態】以下、本発明の実施例の形態を図面を参照して説明する。
【００１１】本発明のトリガー式液体噴出器は、容器体口頚部に嵌合させる装着キャップと、装着キャップ上端から起立して上部から射出筒を前方へ突出してなるポンプ本体と、射出筒前部から揺動可能に垂設したトリガーと、射出筒先端部に回動可能に嵌着させたノズルヘッドとを備え、トリガーの操作により容器体内の液を吸い上げてノズルヘッドの噴出口より噴出する如く構成した公知のポンプ機構を備えたものである。
【００１２】図示例では、容器体２の口頚部３に嵌合させる装着キャップ４と、装着キャップ上方に嵌着固定するとともに、装着キャップ上端から起立した縦筒５の中間部からシリンダ６を、その上部からは射出筒７をそれぞれ前方へ突出し、これら縦筒５、シリンダ６、射出筒７の上面、両側面、後面をカバー８で被覆してなるポンプ本体９と、射出筒７前部から前後揺動可能に垂設したトリガー10と、射出筒７先端部に回動可能に嵌着させたノズルヘッド11とを備えている。
【００１３】また、シリンダ６内に押し込み可能に嵌合させたプランジャ12の先端を、トリガー10の上部に連係させて、トリガー10と内蔵ポンプ機構とを連係させている。また、射出筒７前端部には図示しないノズル嵌合筒を嵌着し、このノズル嵌合筒を介してノズルヘッド11を回動可能に嵌合させており、ノズルヘッド11とノズル嵌合筒には、ノズルヘッド11の回動により液流路の開閉切り換えが可能な公知の開閉機構を備えているものが採用できるが、ノズルヘッド11を単に射出筒７先端部に回動可能に嵌着させた構造のものであっても良い。更に、トリガー10は、縦長の前板10a 両側から後方へ一対の側板10b を延設して構成しており、各側板上端部を前板より上方へ突設し、該突設部分を射出筒７前部両側のカバー８内面にそれぞれ枢着して前後方向の揺動が可能に構成している。
【００１４】本発明では、上記したこの種の噴出器に於いて、不使用時にトリガー10の不用意な引き込みを確実に防止する目的で揺動被覆板を設けている。図１に示す実施例に於いて揺動被覆板13は、ノズルヘッド11からトリガー10前面に沿って垂下するとともに、前面に後方引き寄せ防止突部14を突設し、且つ、側面からトリガー側面に当接係止させた係止板部15を後方突設し、ノズルヘッド11の回動に伴う回動が可能に設けている。従って、揺動被覆板13がトリガー10前方に位置する場合には、トリガー10を後方へ引くことができず、その結果、液の不用意な漏出を防止できる。また、揺動被覆板13を側方へ回動させるとトリガー10の引き込みが可能となり、液の噴出が可能となる。
【００１５】この際、トリガー10とノズル嵌合筒との間に上記した開閉機構を備えたものを使用する場合には、液流路遮断状態で揺動被覆板13の係止板部15がトリガー10に当接係止した状態となる如く構成する。従って、この状態では、液流路の遮断と、揺動被覆板13によるトリガー10の後方への引き込み防止との二重ロック構造になる。
【００１６】後方引き寄せ防止突部14は、指先を掛け、更に無理やり引こうとすると違和感を覚える如き形態の突部で、後方への引き込みを触覚的に防止させるためのもので、例えば、図示例の如き、揺動被覆板13前面中央を縦断し、側面から見て前縁が縦波形をした突条形態のものが採用でき、また、図示しないが、揺動被覆板13前面中央を縦断し、側面から見て縦長長方形状のものが採用できる。
【００１７】また、本実施例では、ノズルヘッド11の外周面に前面噴出口16部分を開口してノズルヘッドカバー17を嵌着しており、該ヘッドカバー17の下面より揺動被覆板13を一体に延設しているが、揺動被覆板13は、ノズルヘッドカバー17から一体に延設する場合に限らず、射出筒７に回動可能に嵌着させたノズルヘッド11から直接延設しても良い。また、上記係止板部15は、上記図１〜図３に示す実施例のものに限らず、トリガー10の側面から裏面に亘り嵌合係止する横断面鉤形をなすものであってもよい。」（段落【００１０】ないし【００１７】）
　
オ．「【００１９】
【発明の効果】以上説明した如く本発明の液体注出容器は、既述構成としたことにより、不使用時には、揺動被覆板13によりトリガー10の引き込みを確実に防止できて不用意な液の漏出を防止でき、また、使用時には揺動被覆板を側方に回動させるだけで液の注出が可能となるとともに、使用後はその係止板部15をトリガーに当接係止させるまで揺動被覆板を逆に回動させれば元の状態に戻るため取り扱いも極めて便利である。また、係止板部の存在で、使用後の揺動被覆板を元のトリガー前面位置に正確に戻すのを容易に行える。」（段落【００１９】）
　
カ．「【００２２】また、ノズルヘッド11の回動により液流路の開閉切り換えが可能に構成するとともに、ノズルヘッドの液流路遮断状態で揺動被覆板の係止板部がトリガーに当接係止した状態になる如く構成したものにあっては、揺動被覆板のトリガーの引き込みの防止と、ノズル部分の液流路遮断との二重ロック構造となり、また、液流路の内圧が高まることはなく、液流路の遮断を解除した際の液の暴発やノズルヘッドが外れる等の不都合を防止できる。」（段落【００２２】）
　
（２）上記（１）のア．ないしカ．の記載事項及び図面からわかること。
キ．上記（１）のイ．ないしエ．及びカ．の記載事項並びに図１ないし３から、次のことがわかる。
　ノズルヘッド１１の液流路遮断状態から液流路連通位置までの所定の回動により、射出筒７前方部分内の液流路と、ノズルヘッド１１内の噴出口１６へ至る液流路とが連通する如く構成した開閉機構を備えていることがわかる。
　
（３）引用文献１記載の発明
　上記（１）のア．〜カ．の記載事項及び上記（２）のキ．並びに図面から、引用文献１には次の発明が記載されている。
　
　「容器体口頚部３に嵌合させた装着キャップ４と、該キャップ上端から起立して上部から射出筒７を前方へ突出してなるポンプ本体９と、射出筒７前部から前後揺動可能に垂設したトリガー10と、射出筒７先端に回動可能に嵌着させたノズルヘッド11と、ノズルヘッド11の所定の回動により射出筒７内と噴出口16とが連通する如く構成した開閉機構と、ノズルヘッド11からトリガー10前面に沿って垂下するとともに、トリガーの引き込みを防止する揺動被覆板13とを備え、揺動被覆板13を回動させた状態に於けるトリガーの操作により容器体内の液を吸い上げてノズルヘッドの噴出口16より噴出する如く構成したトリガー式液体噴出器。」（以下、「引用文献１記載の発明」という。）
　
２−２．引用文献２記載の技術
（１）引用文献２
　当審における拒絶理由に引用された、本願の出願前に頒布された刊行物である特開平８−２６６９６９号公報（以下、「引用文献２」という。）には、次の事項が図面とともに記載されている。
　
ア．「【請求項１】　容器本体２内へ垂設したシリンダ内から上方付勢されて起立する作動部材３上端のヘッド４からノズル５を前方突出し、上記作動部材３の上下動で容器本体２内液体を上記ノズル５から吐出可能に設けたヘッド押下げ式液体吐出容器１と、上記容器本体２の胴部上端部へ、凹凸の嵌合手段で下端部を嵌着させて筒体10を起立すると共に、該筒体の前壁上部に噴出窓14を、かつ筒体10の頂壁11前部から上記ヘッド４上方を通って頂壁11後部まで、更に該頂壁後部から筒体10の後壁中間部まで長孔16を、それぞれ穿設し、該長孔の後壁縦孔部16ｂ下縁から係止板部18を前方突設し、更に、筒体10の後壁外面下端部に上面開口の差し込み部15を形成した覆合筒９と、上記筒体10左右両側壁の上部前方内面へ、上記長孔16の横孔部16ａ内へ遊嵌させた水平板部21の前端左右両部から下前方へ突設した脚板部22前端を枢着させた操作レバー20と、上記差し込み部15内へ下部を着脱自在に嵌合させた下半板部27上端から肉薄ヒンジ28を介して上半板部29を起立して、該上半板部の前面上部に付設した係合突部30で上記操作レバー20の水平板部21後端を支持させ、また、上半板部29の前面下部から前方突設して上記係止板部18上面へ載置させた縦板部31前端から小棒部を垂設し、該小棒部下端に付設した係合突条33を上記係止板部18下縁へ強制離脱可能に係合させた支持部材26とからなり、上記操作レバー20水平板部21の前方寄り中間部下面をヘッド４上面へ当接ないし近接させたことを特徴とする液体吐出容器。
【請求項２】　ヘッド４上方水平板部21の前方寄り中間部から前後方向断面が半円状の突部23を垂下して、該突部下端をヘッド４上面へ載置させたことを特徴とする請求項１記載の液体吐出容器。」（【特許請求の範囲】の【請求項１】及び【請求項２】）
　
イ．「【０００１】
【産業上の利用分野】本発明は、ノズル付き押下げヘッドを押下げることによって容器本体内液体をノズルから吐出させるよう形成した、例えば液状洗剤等を収納する小形ポンプ付きの液体吐出容器に係る。」（段落【０００１】）
　
ウ．「【０００２】
【従来の技術】
【発明が解決しようとする課題】この種容器として、口頸部を有する容器本体と、上記口頸部外面へ螺合させた装着筒から容器本体内上部へ吸上げパイプ付きシリンダを垂設したシリンダ部材と、上記シリンダ内へ嵌合させかつ上方付勢させた筒状ピストンからステムを起立し、該ステム上端にノズル付きヘッドを装着させた作動部材とからなる液体吐出容器が広く知られている。
【０００３】上記従来容器では、流通過程で他物がヘッドに接触し或いは悪戯等によって、ヘッドが押下げられ、容器本体内の液体がノズルから不用意に吐出されることがあった。
【０００４】請求項１記載の液体吐出容器は、容器本体の胴部上端部へ、ヘッド押下げ用の操作レバーを付設した筒体の下端部を嵌着させることで、操作レバー付き容器を容易に形成できるよう、また筒体の後壁から取り外し可能に起立させた縦板状の支持部材上端部で操作レバー後端を支持させるよう形成することで、ヘッドが不用意に押下げられることを確実に阻止でき、かつ使用の際、支持部材がヘッド押下げの妨げとならないよう設けた。
【０００５】請求項２記載の液体吐出容器は、上記目的に加えて、操作レバー下面から前後方向断面が半円状の突部を垂設し、かつ該突部下端をヘッド上面へ載置させることで、ヘッドを円滑に押下げできるよう設けた。」（段落【０００２】ないし【０００５】）
　
エ．「【０００８】
【作用】図１の状態では、支持部材26の縦板部31下面を筒体10の係止板部18上面へ載置させ、かつ支持部材26の係合突部30で操作レバー20の水平板部21後端を支持させたから、該水平板部に他物が接触し或いは悪戯等によって、ヘッド４が押下げられ、容器本体２内の収納液体が不用意に吐出されることを防止できる。
【０００９】図１の状態から支持部材26の上半板部29上端に指先を掛けて、肉薄ヒンジ28を中心として上半板部29を後方へ倒すと、図２が示すように、支持部材26の係合突部30が操作レバー20の水平板部21後端から、かつ支持部材26の係合突条33が筒体10の割溝19下縁から、それぞれ外れるから、支持部材26の下半板部27下部を差し込み部15内から引き抜けば、図３が示すように支持部材26を取り外すことができる。
【００１０】また、ヘッド４上方水平板部21の前方寄り中間部から垂設した前後方向断面が半円状の突部23下端をヘッド４上面へ載置させたから、操作レバー20の水平板部21後部を押下げると、突部23の外周部後部が順次、ヘッド４の上面中央部へ圧接することとなり、よって、ヘッド４を容易に押下げることができる。」（段落【０００８】ないし【００１０】）
　
オ．「【００１１】
【実施例】１は従来広く知られたヘッド押下げ式液体吐出容器であり、公知であるから簡単に説明すると、該容器は、容器本体２内から上方付勢されて起立する作動部材３上端のヘッド４からノズル５を前方突設し、かつ上記作動部材３を上下動させることによって、上記容器本体２内の収納液体を上記ノズル５から吐出させるよう設け、かつ上記容器本体２の胴部上端部外面に係合溝６を周設している。
【００１２】上記容器本体２の胴部上端部外面には覆合筒９の下端部を嵌着させている。該覆合筒は筒体10を有し、該筒体は、頂壁11周縁から周壁12を垂設して、該周壁の前壁上部に形成した前面開口の凹部13の奥壁に噴出窓14を穿設すると共に、周壁12の後壁下端部外面に上下両面開口かつ横断面形状コ字形の差し込み部15を付設し、更に、周壁12の内面下端に周設した係合突起を既述係合溝６内へ係止して、周壁12下端部が容器本体２の胴部上端部外面から抜け出すことを阻止している。
【００１３】上記筒体10には長孔16が穿設してあり、該長孔は、上記筒体10の頂壁11前部から既述ヘッド４上方を通って頂壁11後部まで横孔部16ａを、更に頂壁11後部から周壁12の後壁中間部まで後壁縦孔部16ｂを、それぞれ穿設することで形成され、また、上記横孔部16ａおよび後壁縦孔部16ｂの各左右両側縁から内側壁17を突設して、既述周壁12側壁の一部を内外二重壁とし、かつ、それ等内側壁17の後部下端間に、長孔16の後壁縦孔部16ｂ下縁から前方突設した係止板部18の左右両側縁を一体に結合させ、該係止板部の前部中間に割溝19を穿設している。
【００１４】20は操作レバーであり、該操作レバーは、既述筒体10左右両側壁の上部前方内面へ、上記長孔16の横孔部16ａ内へ遊嵌させた水平板部21の前端左右両部から下前方へ突設した脚板部22前端を枢着させると共に、既述ヘッド４上方水平板部21の前方寄り中間部から前後方向断面が半円状の突部23を、かつ水平板部21の後部下面から板状リブ24を、それぞれ垂設し、突部23下端を既述ヘッド４上面へ載置させている。
【００１５】26は支持部材であり、該支持部材は、既述筒体10の差し込み部15内へ下部を着脱自在に嵌合させた下半板部27上端から肉薄ヒンジ28を介して上半板部29を起立して、該上半板部の前面上部に付設した係合突部30で既述水平板部21後端を支持させ、また、上半板部29の前面下部から前方突設して既述係止板部18上面中間部に載置させた縦断面形状三角形の縦板部31前端から、既述割溝19を通して小棒部を垂設し、かつ該小棒部下端に付設した係合突条33を既述割溝19下縁へ強制離脱可能に係合させている。当該支持部材は、上記覆合筒９および操作レバー20と異色に形成することによって、消費者が使用する際に支持部材26を容易に識別できるよう形成することが好ましい。
【００１６】尚、上記ヘッド押下げ式液体吐出容器１は、液体噴出用としたが収納液体を噴霧或いは泡噴出させるよう形成してもよく、また、操作レバー20の水平板部21に突部23を付設することを省略して、操作レバー20の水平板部21下面をヘッド４上面へ当接ないし近接させ、該ヘッドを水平板部21前部で押下げるよう形成することもでき、更に、上記各部材は適宜合成樹脂材で成形する。」（段落【００１１】ないし【００１６】）
　
カ．「【００１７】
【発明の効果】本発明は上記構成とするものであり、請求項１記載の液体吐出容器にあっては、支持部材26の縦板部31を筒体10の係止板部18上面へ載置させ、かつ支持部材26の係合突条33を筒体10の係止板部18下縁へ係合させ、更に支持部材26の係合突部30で操作レバー20の水平板部21後端を支持させたから、該水平板部に他物が接触し或いは悪戯等によって、ヘッド４が押下げられ、容器本体２内の収納液体が不用意に吐出されることを防止でき、また、筒体10の後壁外面下端部に付設した上面開口の差し込み部15内へ、支持部材26の下半板部27下部を着脱自在に嵌合させたから、図２が示すように、支持部材26の上半板部29を後方へ倒した後、下半板部27下部を差し込み部15内から引き抜くことで、図３が示すように、筒体10から支持部材26を取り外すことができ、よって、支持部材26がヘッド押下げの妨げとなるようなことがなく、更に、筒体10の左右両側壁上部内面へ、長孔16の横孔部16ａ内へ遊嵌させた水平板部21の前端左右両部から下前方へ突設した脚板部22前端を枢着させたから、操作レバー20付き筒体10の下端部を容器本体２の胴部上端部外面に嵌合させることによって、従来製造されている公知のヘッド押下げ式液体吐出容器を、操作レバーでヘッドを押下げできる容器とすることが容易にできる。
【００１８】請求項２記載の液体吐出容器にあっては、上記請求項１の効果と共に、ヘッド４上方水平板部21の前方寄り中間部から前後方向断面が半円状の突部23を垂設し、該突部下端をヘッド４上面へ載置させたから、水平板部21後部を押下げると、突部23の外周面後部が順次、ヘッド４の上面中央部へ圧接することとなり、かつ突部23下端とヘッド４上面との接触面積が小さく滑りが良いことから、ヘッド４を容易に押下げることができる。」（段落【００１７】及び【００１８】）
　
（２）引用文献２記載の技術
　上記（１）のア．〜カ．の記載事項及び図面から、引用文献２には次の技術が記載されている。
　
　「操作レバー20の押下げを防止する支持部材26の色を、押下げにより容器本体２内の液を吸い上げてヘッド４から前方突設したノズル５より噴出する操作レバー20の色と異なる色に形成する技術」（以下、「引用文献２記載の技術」という。）
　
３．対比
　本願発明と引用文献１記載の発明とを対比すると、引用文献１記載の発明における「容器体口頚部３」は、その技術的意義からみて、本願発明における「容器体口頸部３」に相当し、以下同様に、「装着キャップ４」は「装着キャップ４」に、「射出筒７」は「射出筒７」に、「ポンプ本体９」は「ポンプ本体９」に、「トリガー10」は「トリガー10」に、「ノズルヘッド11」は「ノズルヘッド11」に、「噴出口16」は「噴出口23」に、「開閉機構」は「開閉切り替え機構24」に、「揺動被覆板13」は「ストッパー25」に、それぞれ相当するから、本願発明と引用文献１記載の発明とは、「容器体口頸部に嵌合させた装着キャップと、該キャップ上端から起立して上部から射出筒を前方へ突出してなるポンプ本体と、射出筒前部から前後揺動可能に垂設したトリガーと、射出筒先端に回動可能に嵌着させたノズルヘッドと、ノズルヘッドの所定の回動により射出筒内と噴出口とが連通する如く構成した開閉切り替え機構と、ノズルヘッドからトリガー前面に沿って垂下するとともに、トリガーの引き込みを防止するストッパーとを備え、ストッパーを回動させた状態に於けるトリガーの操作により容器体内の液を吸い上げてノズルヘッドの噴出口より噴出する如く構成したトリガー式液体噴出器。」である点で一致し、以下の点で相違する。
　
　本願発明が「ストッパーの色彩をトリガーの色彩と異なる色彩に形成した」のに対して、引用文献１記載の発明においては、ストッパー及びトリガーの色彩が、不明である点（以下、「相違点」という。）。
　
４．判断
　相違点について検討する。
　本願発明と引用文献２記載の技術とを対比すると、引用文献２記載の技術における「操作レバー20」は、その操作により容器体内の液を吸い上げてノズルヘッドの噴出口より噴出する限りにおいて、本願発明における「トリガー10」に相当するとともに、引用文献２記載の技術における「支持部材26」は、容器体内の液を吸い上げてノズルヘッドの噴出口より噴出する操作を防止する限りにおいて、本願発明における「ストッパー25」に相当する。
　よって、引用文献２記載の技術は、本願発明における用語を用いて表現すると、「ストッパーの色彩をトリガーの色彩と異なる色彩に形成する技術」であるといえる。
　そして、引用文献１記載の発明と引用文献２記載の技術は、いずれも液体噴出器という同一の技術分野に属するとともに、引用文献１記載の発明においても「ストッパー25」に相当する「揺動被覆板13」を容易に識別できるよう形成するという課題を内在することは、当業者に明らかであるから、引用文献１記載の発明に、引用文献２記載の技術を適用して、相違点に係る本願発明の発明特定事項とすることは、当業者が容易に想到し得たものであるとともに、その結果として、トリガー枢着部の破損等の不都合を生じないことも、当業者に明らかである。
　また、本願発明を全体としてみても、その作用効果は、引用文献１記載の発明及び引用文献２記載の技術から予測できる作用効果以上の顕著な作用効果を奏するものとは認められない。
　
５．むすび
　したがって、本願発明は、引用文献１記載の発明及び引用文献２記載の技術に基づいて当業者が容易に発明をすることができたものであるから、特許法第２９条第２項の規定により特許を受けることができない。
　よって、結論のとおり審決する。